(57)【要約】【課題】  記録用紙の先端が用紙経路に生じる隙間に入り込み、ジャムが発生する。【解決手段】  外装ケース２の上面２aに記録用紙１を排出するための用紙排出口３が設けられ、用紙排出口３の近傍で複数の部品が用紙経路の接合部を形成し、プラスチックシート材よりなる薄板を折り曲げた用紙ガイド部材５の折り曲げ部５aを、用紙経路の上流側部品（オートカッター４）の上に位置させ、折り曲げ部５aが用紙経路の下流側部品（外装ケース２）より突出するように配設する。また、用紙ガイド部材５の一端を用紙経路の接合部からプリンタ内部に挿入してその端部５ｂを接着固定する。【選択図】  図１
2007118360.tif 000002
【特許請求の範囲】
【請求項１】
複数の部品が接合して形成された用紙経路を有するプリンタにおいて、前記用紙経路の接合部に、薄板を折り曲げた用紙ガイド部材を前記折り曲げ部が前記用紙経路を形成する下流側部品より突出するように配設したことを特徴とするプリンタ。
【請求項２】
前記用紙ガイド部材の一端を前記用紙経路の接合部からプリンタ内部に挿入して固定したことを特徴とする請求項１に記載のプリンタ。
【請求項３】
前記用紙ガイド部材は、プラスチックシート材であることを特徴とする請求項１または２に記載のプリンタ。
【請求項４】
前記複数の部品が接合して形成された用紙経路の接合部で、用紙経路の上流側部品はオートカッターであり、下流側部品は外装ケースであることを特徴とする請求項１乃至３のいずれか１つに記載のプリンタ。
【発明の詳細な説明】
【技術分野】
【０００１】
本発明は、複数の部品が接合して形成された用紙経路を有するプリンタに係わり、詳しくは、記録用紙の先端が用紙経路の接合部の隙間から入り込むジャムを回避するプリンタに関する。
【背景技術】
【０００２】
従来より、店舗などの売り上げや在庫管理を目的として、日時、商品名、販売価格などが印字された記録用紙をレシートとして顧客に渡すと同時に、複写された記録用紙を保管することが要求されていた。このようなプリンタとして、本出願人が先に出願したプリンタが提案されている。（例えば、特許文献１、特許文献２参照）
【特許文献１】特願２００４−１６６５２０号（第２〜３頁、図２）
【特許文献２】特願２００４−１８３１５３号（第４頁、図２）
【０００３】
図３は、上記した特許文献１および２に開示されているプリンタの構成を示す側面図である。図４は、用紙経路の接合部を示す要部拡大断面図である。図５は、図３の用紙排出口近傍の用紙経路の接合部を示す要部断面図である。図３において、プリンタ１０の構成は、図示しないインクリボンカセットが着脱可能なプリンタ本体１１と、前記インクリボンカセットの先端部に位置して印字ヘッド１２を搭載したキャリッジを記録媒体であるロール状の記録用紙１３の幅方向に往復移動させる印字機構と、記録用紙送り用モータ１６の駆動力により、印字ヘッド１２による印字位置にロール軸１４に装填された２枚重ねの前記記録用紙１３を圧接して送るための紙送り機構と、紙送り機構の上部に配置された記録用紙１３（顧客用）を切断するためのオートカッター１５と、プリンタ本体１１の後方に設けられて、記録用紙巻き取り用モータ１７の駆動力により記録用紙１３（店舗用）を巻き取る記録用紙巻き取り装置１８とから構成される。
【０００４】
前記プリンタ１０の動作について説明する。前記ロール状の記録用紙１３は、顧客へのレシート用と店舗の保管用との２枚重ねの複写可能な感熱紙などで、所定の幅を有し、ロール軸１４に装填されている。記録送り用モータ１６の駆動力で矢印Ａ方向に回転し、記録用紙１３は矢印Ｂ方向に送り出される。図中、用紙経路１９は点線で示す。送り出された記録用紙１３は、紙送りガイド２０により案内されて、記録用紙送り用モータ１６に連結している紙送りローラ２１により印字位置に誘導される。
【０００５】
前記用紙経路１９を通って印字位置に到達した時点で、記録用紙１３に所定の事項、例えば、日時、品名、金額、店舗名、レジ担当者などが印字ヘッド１２などの印字機構で印字された後、顧客用の１枚の記録用紙１３は、外装ケース２の上面２ａに記録用紙を排出するために設けられた用紙排出口３より矢印Ｃ方向へ排出される。その後、記録用紙１３はオートカッター１５で切断されて顧客に手渡される。
【０００６】
上記したように、印字されたもう１枚の店舗保管用の記録用紙１３は、記録用紙巻き取り用モータ１７の駆動力で回転される歯車群２４により記録媒体巻き取り装置の巻き取り軸２５を矢印Ｄ方向に回転させて、記録用紙１３を矢印Ｅ方向に送り巻き取るものである。
【０００７】
図４において、前述したように、外装ケース２の上面２ａに前記した記録用紙１３を排出するための用紙排出口３が形成され、その用紙排出口３の近傍で、用紙経路の上流側部品であるオートカッター１５と下流側部品である外装ケース２で接合部が形成される。この２つの部品の接合部には、個々の部品の寸法精度のバラツキや組み立て位置のバラツキにより多少の隙間Ｇが生じることがある。
【発明の開示】
【発明が解決しようとする課題】
【０００８】
解決しようとする問題点は、図５に示すように、顧客用の１枚の記録用紙１３は外装ケース２の上面２ａに設けられた用紙排出口３より通常の場合は２点鎖線で示すように矢印Ｃ方向へ排出されるが、時には、記録用紙１３の先端がカールしていたり、折れ曲がったりしている場合には、記録用紙１３の先端が用紙経路の前述した２つの部品の接合部の間に生じた隙間Ｇ（図４参照）から矢印Ｆ方向に入り込み、所謂、ジャム（印刷機器の内部に発生する紙詰まり）が発生する。ジャムが発生すると記録用紙１３を送ることができず印刷できなくなるため、外装ケース２のカバーを開いて詰まった記録用紙１３を取り除く必要があるなど面倒な問題があった。
【０００９】
本発明は、上述した欠点を解消するもので、その目的は、用紙経路を構成する２つの部品に既存の部品を使用するなどの制約条件があり、接合部に隙間が発生しても、その隙間に記録用紙の先端が引っ掛かったり、入ったりすることなく、ジャムの発生を回避可能にしたプリンタを提供するものである。
【課題を解決するための手段】
【００１０】
上記目的を達成するために、本発明におけるプリンタは、複数の部品が接合して形成された用紙経路を有するプリンタにおいて、前記用紙経路の接合部に、薄板を折り曲げた用紙ガイド部材を前記折り曲げ部が前記用紙経路を形成する下流側部品より突出するように配設したことを特徴とするものである。
【００１１】
また、前記用紙ガイド部材の一端を前記用紙経路の接合部からプリンタ内部に挿入して固定したことを特徴とするものである。
【００１２】
また、前記用紙ガイド部材は、プラスチックシート材であることを特徴とするものである。
【００１３】
また、前記複数の部品が接合して形成された用紙経路の接合部で、用紙経路の上流側部品はオートカッターであり、下流側部品は外装ケースであることを特徴とするものである。
【発明の効果】
【００１４】
本発明のプリンタにおいては、用紙経路を形成する既存の部品を使用するなどの制約により、用紙経路に隙間が生じるような場合でも、前記用紙経路の接合部で、薄板を折り曲げた簡単な形状の用紙ガイド部材の折り曲げ部を、用紙経路の上流側部品の上に位置させ、前記折り曲げ部が用紙経路の下流側部品より突出するように配設することにより、記録用紙の先端がカールしていたり、折れ曲がっていたとしても、ジャムが発生することを防止できる。
【００１５】
また、前記用紙ガイド部材の一端を前記用紙経路の接合部の隙間からプリンタ内部に挿入して固定することにより、固定に要する部材の大きさなどに制約されることなく、用紙ガイド部材を安定した状態で保持することができる。
【００１６】
また、前記用紙ガイド部材は、プラスチックシート材で形成することにより、曲げ部を鋭角に加工することが容易で且つ安価に作ることができる。など、信頼性に優れたプリンタを提供することが可能である。
【発明を実施するための最良の形態】
【００１７】
本発明のプリンタの構造について、図面に基づいて説明する。
【実施例】
【００１８】
図１、図２は、本発明の実施例に係り、図１は、用紙排出口近傍の用紙経路の接合部を示す要部断面図、図２は、外装ケースの上面を開口した状態の斜視図である。
【００１９】
図１、図２において、プリンタの構造は従来例で説明したので省略する。前述した用紙経路を通って所定の事項を印字された顧客用の１枚の記録用紙１は、外装ケース２の上面２aの端部に設けられた記録用紙１を排出するための用紙排出口３から排出される。該用紙排出口３の近傍で複数の部品、オートカッター４と外装ケース２が接合して形成された用紙経路の接合部で、プラスチックシート材などの薄板を折り曲げて折り曲げ部５aを形成した用紙ガイド部材５を配設する。
【００２０】
前記用紙ガイド部材５の配設は、用紙経路の上流側部品であるオートカッター4の上に沿わせるようにして、用紙ガイド部材５の一方に形成された折り曲げ部５aが、オートカッター４と外装ケース２の接合部において、用紙経路の下流側部品である外装ケース２より突出するように配設する。
【００２１】
さらに、前記用紙ガイド部材５の端部を前記用紙経路の接合部の隙間Ｇ（図４参照）からプリンタ内部に挿入してその先端部（固定部）５ｂを前記オートカッター４の一部に両面粘着テープにて接着して固定する。なお、固定の方法は両面粘着テープによる接着に限らず、ネジによる固定のほか特に固定用の部材を用いずに前記用紙ガイド部材５を前記オートカッター４の一部に引っ掛けて固定する方法などを採用することが可能である。６はケース本体である。
【００２２】
以上述べた構成によるプリンタのジャム防止構造の作用・効果について説明する。前述した用紙経路を通って所定の事項を印字された顧客用の１枚の記録用紙１は、用紙ガイド部材５に形成された折り曲げ部５aに沿って案内され、オートカッター４と外装ケース２の接合部を乗り越えて、記録用紙１の先端は接合部に隙間Ｇがあったとしても、その隙間Ｇに入ることなく、外装ケース２の上面２aに設けられた記録用紙を排出するための用紙排出口３から矢印Ｃ方向へ正常に排出される。また、前記用紙ガイド部材５の端部を前記接合部の隙間Ｇからプリンタ内部に挿入され、隙間を塞ぐと同時にその端部５ｂを固定することで、用紙ガイド部材５は安定された状態で保持される。また、前記用紙ガイド部材５は薄板のプラスチック材で容易に加工でき安価に作ることができる。
【００２３】
上述したように、用紙経路を構成する２つの部品に既存の部品を使用するなどの制約条件があり、接合部に隙間が発生するような場合があっても、その隙間に記録用紙の先端が引っ掛かり、ジャムが発生することを回避可能な信頼性に優れたプリンタを提供することができる。
【図面の簡単な説明】
【００２４】
【図１】本発明の実施例に係わるプリンタの用紙経路の接合部を示す要部断面図である。
【図２】図１の外装ケースの上面を開口した状態のプリンタの斜視図である。
【図３】従来のプリンタの構成を示す側面図である。
【図４】図３の用紙経路の接合部を示す要部拡大断面図である。
【図５】図３の用紙排出口近傍の用紙経路の接合部を示す要部断面図である。
【符号の説明】
【００２５】
１  記録用紙
２  外装ケース
２a  外装ケースの上面
３  用紙排出口
４  オートカッター
５  用紙ガイド部材
５a  折り曲げ部
５ｂ  端部（固定部）
Ｇ  隙間
【図１】
2007118360.tif 000003
【図２】
2007118360.tif 000004
【図３】
2007118360.tif 000005
【図４】
2007118360.tif 000006
【図５】
2007118360.tif 000007